(57)【要約】【課題】張設されたテントを堅固に保持できるようにすると同時に、互いに連結された複数のポール自体が外力を吸収できるようにすることで、外力からポールを保護し、ポール自体の耐久性を増大することで、製品の寿命を延ばすことができるテント用ポールを提供する。【解決手段】テントを保持するよう一端と他端が、それぞれ地面に固定され、一定の高さを有する構造物を形成するテント用ポールであって、互いに結合され、一定の形態と一定の長さを形成することで、前記テント用ポールの両端部を除いた中央領域を形成する中央ポールと、前記中央ポールの両端部にそれぞれ挿入結合され、その端部が前記地面に固定され、前記中央ポールが一定の高さを有する構造物を形成し、前記テントに作用する外力を減殺させる外力減殺部が備えられた端部ポールとを含む。【選択図】図４
2016003556.tif 000002
【特許請求の範囲】
【請求項１】
テントを保持するよう一端と他端とが、それぞれ地面に固定され、一定の高さを有する構造物を形成するテント用ポールであって、
互いに結合され、一定の形態と一定の長さを形成することで、前記テント用ポールの両端部を除いた中央領域を形成する中央ポールと、
前記中央ポールの両端部に、それぞれ挿入結合され、その端部が前記地面に固定され、前記中央ポールが一定の高さを有する構造物を形成し、前記テントに作用する外力を減殺させる外力減殺部が備えられた端部ポールと、
を含むことを特徴とするテント用ポール。
【請求項２】
前記外力減殺部は、前記端部ポールと重畳される程度が変わり、前記外力を減殺させるよう前記端部ポールの端部に移動可能に挿入され、弾性保持される外部ポールを含むことを特徴とする請求項１に記載のテント用ポール。
【請求項３】
前記外力減殺部は、
前記外部ポールの内部一側に固定される固定部材と、
前記端部ポールの一端部と前記外部ポールと間に設けられる弾性スプリングと、
一端が固定部材の一側に固定され、他端が前記端部ポールの一側に固定され、前記外部ポールが前記端部ポールに挿入された状態を保持するよう張力を形成するゴムバンドと、
を、更に含むことを特徴とする請求項２に記載のテント用ポール。
【請求項４】
前記ゴムバンドの両端部が、それぞれ固定部材と端部ポールに固定された状態を保持できるよう前記ゴムバンドの両端部にはワッシャが固定結合されたことを特徴とする請求項３に記載のテント用ポール。
【請求項５】
前記固定部材は、前記外部ポールの内側に複数の個所にパンチにより固定結合されたことを特徴とする請求項３に記載のテント用ポール。
【請求項６】
前記ゴムバンドの張力は、前記弾性スプリングの弾性係数より大きいか、又は等しく形成され、前記弾性スプリングが少なくとも一定間隔圧縮されるか、又は前記弾性スプリングの両端部が前記固定部材及び前記中央ポールと接触するように設けられたことを特徴とする請求項３に記載のテント用ポール。
【請求項７】
前記ゴムバンドの両端部は、それぞれ、端部ポールの内部に備えられた固定部材に固定結合され、線状に連結されたことを特徴とする請求項２〜６のいずれか１項に記載のテント用ポール。
【発明の詳細な説明】
【技術分野】
【０００１】
本発明は、テント用ポールに関し、より詳しくは、外力を減殺させ、ポールが損傷されることを防止しうるテント用ポールに関するものである。
【背景技術】
【０００２】
一般に、テント１は、使用者がキャンプ又は屋外で臨時に生活できるように、防水布と多数個のポールとで構成されており、このような防水布を多数個のポールで保持及び連結し、様々な形態のテント１が形成されている。
【０００３】
即ち、多数個のポールを互いに連結し、直線又は曲線のアーチ状でその骨格を形成し、防水布を伸展してポールに連結し、ポールが形成する骨格により内部に空間が形成される。
【０００４】
このようなテント１の全長が長くなるに従って、ポールを複数個に分割し、保管及び携帯が容易に構成しており、屋外で分割されたポールを連結し、テント１と日陰テントを張設している。
【０００５】
図１は、従来の一般的なテントの構造を示した斜視図であり、図２及び図３は、図１のテントを張設するときに使用されるポールの構造を示した斜視図である。
【０００６】
図１に示されるように、テント１は複数個のポール１０を利用して内部に空間が形成されるように張設する。
【０００７】
図２及び図３に示されるように、ポール１０は複数個に分割されて構成され、分割されたポール１０’の端部は、他のポールの端部に挟まれるように直径が小さいか、又はポールの直径より大きな連結口１１が固定される。
【０００８】
そして、複数個の分割されたポール１０’をゴムバンド１３で連結しておくことで、分割されたポール１０’を容易に連結することができ、且つ分割されたポール１０’の紛失を防止する。
【０００９】
さらに、ゴムバンド１３は、ポール１０’を貫通し、分割されたポール１０’を一つに連結する。そして、ゴムバンド１３の両端は、ポール１０の両端部にそれぞれ固定されており、ゴムバンド１３の両端はチップ１５にそれぞれ固定され、チップ１５はポール１０の両端に挿入され、固定される。
【００１０】
図３に示されるように、チップ１５は、連結されたポール１０の両端に配置された構成要素であり、ポール１０の内部に配置されたゴムバンド１３と連結される。また、地盤に容易に固定できるよう尖って形成される。
【００１１】
チップ１５を詳細に説明すると、チップ１５は、地盤に打込まれるように終端が尖った先端部１７と、ポール１０の端部に係止されるようポール１０の外径の大きさを有する係止突条１９と、ポール１０の端部に挿入され、ゴムバンド１３と連結される穴２１とを含む。
【００１２】
従って、ポール１０に、ゴムバンド１３を連結するためにはゴムバンド１３を穴２１に通した後、ゴムバンド１３の端部をクランプで掴み、ゴムバンド１３に固定する。このように、ゴムバンド１３が連結されたチップ１５は、穴２１がポール１０の端部に挿入される。
【００１３】
さらに、係止突条１９がポール１０の端部に係止され、チップ１５の尖端部１７のみがポール１０の外部に突出される。
【００１４】
しかし、このような従来のテント用ポールにおいて、ポール１０とポール１０と間の連結構造は、いずれかのポール１０端部に備えられた連結口１１に、他のポール１０を挿入すれば、ポール１０の内部に備えられたゴムバンド１３の張力により、これら間の結合が保持される構造であるため、テント１の張設が完了した後、外力が作用時に前記外力を全く吸収できないことから、張設されたテント１が外力により形態が変わったり、激しい場合には、飛ばされたりすることがあり、このような過程でポール１０の連結口が損傷され、再使用が不可能になるという問題があった。
【発明の概要】
【発明が解決しようとする課題】
【００１５】
前記のような点を勘案して案出された本発明の目的は、張設されたテントを堅固に保持できるようにすると同時に、互いに連結された複数のポール自体が外力を吸収できるようにすることで、外力からポールを保護し、ポール自体の耐久性を増大することで、製品の寿命を延ばすことができるテント用ポールを提供することにある。
【課題を解決するための手段】
【００１６】
前記のような本発明の目的を達成するためのテント用ポールは、テントを保持するよう一端と他端とが、それぞれ地面に固定され、一定の高さを有する構造物を形成するテント用ポールであって、互いに結合され、一定の形態と一定の長さを形成することで、前記テント用ポールの両端部を除いた中央領域を形成する中央ポールと、前記中央ポールの両端部にそれぞれ挿入結合され、その端部が前記地面に固定され、前記中央ポールが一定の高さを有する構造物を形成し、前記テントに作用する外力を減殺させる外力減殺部が備えられた端部ポールと、を含むことを特徴とする。
【００１７】
ここで、前記外力減殺部は、前記端部ポールと重畳される程度が変わり、前記外力を減殺させるよう前記端部ポールの端部に移動可能に挿入され、弾性保持される外部ポールを含む。
【００１８】
また、前記外力減殺部は、前記外部ポールの内部一側に固定される固定部材と、前記端部ポールの一端部と前記外部ポールと間に設けられる弾性スプリングと、一端が固定部材の一側に固定され、他端が前記端部ポールの一側に固定され、前記外部ポールが前記端部ポールに挿入された状態を保持するよう張力を形成するゴムバンドと、を更に含む。
【００１９】
さらに、前記ゴムバンドの両端部が、それぞれ固定部材と端部ポールに固定された状態を保持できるよう前記ゴムバンドの両端部にはワッシャが固定結合される。
【００２０】
また、前記固定部材は、前記外部ポールの内側に複数の個所にパンチにより固定結合される。
【００２１】
さらに、前記ゴムバンドの張力は、前記弾性スプリングの弾性係数より大きいか、又は等しく形成され、前記弾性スプリングが少なくとも一定間隔圧縮されるか、又は前記弾性スプリングの両端部が前記固定部材及び前記中央ポールと接触するように設けられる。
【００２２】
また、前記ゴムバンドの両端部は、それぞれ、端部ポールの内部に備えられた固定部材に固定結合され、線状に連結される。
【図面の簡単な説明】
【００２３】
【図１】従来の一般的なテントの構造を示した斜視図である。
【図２】図１のテントを張設するときに使用されるポールの構造を示した斜視図である。
【図３】図１のテントを張設するときに使用されるポールの構造を示した斜視図である。
【図４】本発明の一実施例に係るテント用ポールの構造を示した斜視図である。
【図５】図４のテント用ポールの外力減殺部の構造を拡大して示した拡大斜視図である。
【図６】テントに設けられた本発明の一実施例に係るテント用ポールにより外力が減殺される構造を示した使用状態図である。
【発明を実施するための形態】
【００２４】
以下、本発明の一実施例に係るテントを、添付図面を参照して、更に詳しく説明する。
【００２５】
図４は、本発明の一実施例に係るテント用ポールの構造を示した斜視図であり、図５は、図４のテント用ポールの外力減殺部の構造を拡大して示した拡大斜視図であり、図６は、テントに設けられた本発明の一実施例に係るテント用ポールにより外力が減殺される構造を示した使用状態図である。
【００２６】
これらの図に示されるように、本発明の一実施例に係るテント用ポールは、テント１を保持するよう一端と他端とが、それぞれ地面に固定され、一定の高さを有する構造物を形成するテント用ポールであって、互いに結合され、一定の形態と一定の長さを形成することで、前記テント用ポールの両端部を除いた中央領域を形成する中央ポール１００と、中央ポール１００の両端部にそれぞれ挿入結合され、その端部が前記地面に固定され、前記中央ポール１００が一定の高さを有する構造物を形成し、テント１に作用する外力を減殺させる外力減殺部２１０が備えられた端部ポール２００とで構成されている。
【００２７】
テント用ポールは、テント布が掛けられるか、或いはテント布が挿入された状態で、一定の高さを有する形状を形成することによって、テント布の内部に一定空間が形成され、日陰テントが役割を果たすか、又は屋外で寝泊まりできる空間を提供できる。
【００２８】
このようなテント用ポールは、管状に形成された複数の部材からなり、テント１を張設時には、互いに挿入された形態で連結され、一定の長さを形成し、テント１を撤去時には、管状の部材を分離し、保管する。
【００２９】
テント用ポールは、管状の部材を互いに挿入された形態で連結時に、両側端部に配置される二つの端部ポール２００と、端部ポール２００と端部ポール２００と間の中央領域に位置する複数の中央ポール１００とで構成される。
【００３０】
複数の中央ポール１００と二つの端部ポール２００は、一側の端部ポール２００に一端が固定され、複数の中央ポール１００の内部を通過し、他側の端部ポール２００に他端が固定されるゴムバンド２１４によって連結される。
【００３１】
また、中央ポール１００の個数は、張設されるテント布を保持するべき長さに従って決められ、３〜４人用のテント１の場合には、相対的に中央ポール１００の個数が少なく、７〜８人用のテント１の場合には、相対的に中央ポール１００の個数が多くなる。
【００３２】
外力減殺部２１０は、地面と接触する端部ポール２００の端部に備えられ、テント用ポールを設置時に、外力減殺部２１０を構成する外部ポール２１１が地面と接触されるように設けられ、外力が作用時に外力を減殺させることにより、テント１が損傷されることを防止する役割を果たす。
【００３３】
このような、外力減殺部２１０は、前記端部ポール２００の一端部外面に移動可能に重畳されるように挿入され、弾性保持される外部ポール２１１と、外部ポール２１１の内部一側に固定される固定部材２１２と、端部ポール２００の一端部と外部ポール２１１と間に設けられる弾性スプリング２１３と、一端が固定部材２１２の一側に固定され、他端が反対側端部ポール２００の内部に備えられた固定部材の一側に固定され、外部ポール２１１が端部ポール２００に挿入された状態を保持するよう張力を形成するゴムバンド２１４とを含んで構成される。
【００３４】
図面には図示されていないが、ゴムバンド２１４は、一端が固定部材２１２の一側に固定され、他端が端部ポール２１１の内部に備えられた別途の固定手段に固定されることによって、端部ポール２００と中央ポール１００がいずれも個別的に分離可能にしてもよい。
【００３５】
外部ポール２１１は、端部ポール２００の直径よりやや大きな直径を有するよう形成され、端部ポール２００の端部外面に移動可能に挿入結合され、テント用ポールを設置時に、地面と接触されることによって、テント用ポールがテント１の布を保持できるようにする役割を果たす。
【００３６】
固定部材２１２は、外部ポール２１１の内部空間の一側に固定されるように備えられ、弾性スプリング２１３の一側と接触されることで、外力が作用時に弾性スプリング２１３により、外力が減殺できるようにする部材である。
【００３７】
このような固定部材２１２は、外部ポール２１１の内側に複数の個所にパンチにより固定結合されることが効果的であり、組立工数を減らすためには、別途の接着材を用いて、外部ポール２１１の内側に固定されていてもよい。
【００３８】
前記パンチ方式は、外部ポール２１１の外面の複数の個所に別途のせん孔機を利用して、固定部材２１２が配置された位置の外部ポール２１１の直径を縮小させることで、固定部材２１２が固定されるようにする方式である。
【００３９】
固定部材２１２の両側面は、ゴムバンド２１４の一端部が固定されると同時に、弾性スプリング２１３の一側が保持できるよう閉鎖形成され、その中心にはゴムバンド２１４が通過するように貫通孔が形成されている。
【００４０】
弾性スプリング２１３は、一端が固定部材２１２の一側面と接触して保持され、他端が端部ポール２００の一端部と接触されるよう備えられ、外力が作用時に弾性変形しながら外力を減殺させる役割をする。
【００４１】
外部ポール２１１が端部ポール２００に挿入された状態が保持できるように、このような弾性スプリング２１３の弾性係数はゴムバンド２１４の張力よりは小さく形成されることが好ましく、圧縮されながら弾性が蓄積される圧縮コイルスプリングであることが効果的である。
【００４２】
ゴムバンド２１４は、中央ポール１００と端部ポール２００が互いに挿入され、結合された状態を保持する役割を果たす。それのために、その両端部は、端部ポール２００の端部に移動可能に備えられた外部ポール２１１内部に固定された固定部材２１２に固定されている。
【００４３】
このようなゴムバンド２１４の張力は、中央ポール１００と端部ポール２００が結合された状態を保持すると同時に、外部ポール２１１が端部ポール２００の端部に挿入された状態を保持するよう少なくとも弾性スプリング２１３の弾性係数よりは大きく形成されることが好ましい。
【００４４】
即ち、ゴムバンド２１４の張力は、弾性スプリング２１３の弾性係数より大きいか、又は等しく形成され、弾性スプリング２１３が少なくとも一定間隔圧縮されるか、又は弾性スプリング２１３の両端部が固定部材２１２及び中央ポール１００と接触されるように設けられるものである。
【００４５】
また、ゴムバンド２１４の両端部が、それぞれ固定部材２１２と端部ポール２００に固定された状態を保持できるようゴムバンド２１４の両端部にはワッシャ２１５が固定結合されてもよい。
【００４６】
即ち、ゴムバンド２１４の両端部にワッシャ２１５が備えられ、固定部材２１２に形成された貫通孔を通過したゴムバンドがワッシャ２１５を通過した後、ゴムバンド２１４の端部に結び目が形成されることで、ゴムバンド２１４の両端部が固定される構造を有する。
【００４７】
このような構成を有する本発明の一実施例に係るテント用ポールを利用してテント１を張設する過程は、以下の通りである。
【００４８】
まず、テント１を張設する場所を選んだ後、テント布を選ばれた場所に伸展し、テント用ポールの中央ポール１００と端部ポール２００を互いに連結し、テント用ポールが一定の長さを形成するようにする。
【００４９】
一定の長さを有するように形成されたテント用ポールを、伸展されたテント布の上面に配置した後、外部ポール２１１の端部をテント布の一側に備えられた固定バンドに挿入し、テント用ポールが一定の高さを有する構造物を形成する。
【００５０】
また、テント布に備えられた固定リングをテント用ポールの複数の個所に係止するようにし、テント布が前記構造物と同じ形状の構造物を形成するようにすることで、テント１の張設が完了される。
【００５１】
前述した過程により、本発明の一実施例に係るテント用ポールを利用して、張設されたテント１は風などの外力が作用する場合に、テント布を保持しているテント用ポールの端部に備えられた外力減殺部２１０の弾性スプリング２１３が圧縮及び引っ張られながら外力を減殺することによって、テント用ポールが損傷しないようにし、製品の信頼度を向上させることができる。
【００５２】
また、ポールにテント布を連結し、テントを張設するとき、ポールに備えられた外力減殺部に圧力を加え、弾性変形させることで、ポール全体の長さを減少させた後、ポールにテント布を連結し、圧力減殺部に加えられた圧力を除去し、ポールの長さを復元させることで、テント布をポールに容易に連結することができる。従って、従来技術に比べてテントを容易に張設することができる。
【００５３】
以上では、本発明の好ましい実施例を例示的に説明したが、本発明の範囲はこのような特定実施例のみに限定されるものではなく、特許請求の範囲に記載された範囲内で適切に変更可能である。
【００５４】
以上で説明した本発明に係るテントは、張設されたテントを堅固に保持できるようにすると同時に、互いに連結された複数のポール自体が外力を吸収できるようにすることで、外力からポールを保護し、ポール自体の耐久性を増大することで、製品の寿命を延ばすことができる効果を奏する。
【００５５】
また、ポールにテント布を連結し、テントを張設するとき、ポールに備えられた外力減殺部に圧力を加え、弾性変形させることで、ポール全体の長さを減少させた後、ポールにテント布を連結し、圧力減殺部に加えられた圧力を除去し、ポールの長さを復元させることで、テント布をポールに容易に連結することができ、これにより、従来技術に比べてテントを容易に張設することができる効果を奏する。
【符号の説明】
【００５６】
１００：中央ポール
２００：端部ポール
２１０：外力減殺部
２１１：外部ポール
２１２：固定部材
２１３：弾性スプリング
２１４：ゴムバンド
２１５：ワッシャ。
【図１】
2016003556.tif 000003
【図２】
2016003556.tif 000004
【図３】
2016003556.tif 000005
【図４】
2016003556.tif 000006
【図５】
2016003556.tif 000007
【図６】
2016003556.tif 000008